(57)【特許請求の範囲】
【請求項１】
１フレーム分のビデオデータを含むデータを奇数本のトラックに記録するテープ状記録媒体の記録フォーマットに対応したデジタルデータを、処理するデータ処理手段と、
上記データ処理手段により処理されたデジタルデータを、伝送する伝送手段とを備え、
上記テープ状記録媒体の記録フォーマットには、上記奇数本のトラックに記録する１フレーム分のビデオデータを含むデータの記録パターンが２つあり、
上記伝送手段は、テープ状記録媒体の偶数番目のトラックから記録開始されるフレームのデータと奇数番目のトラックから記録開始されるフレームのデータとを識別するための識別符号を、上記デジタルデータに付加して伝送すること
を特徴とするデータ伝送装置。
【請求項２】
上記テープ状記録媒体の記録フォーマットは、ＤＶフォーマットにおけるＳＤＬモードに対応したフォーマットであり、
上記伝送手段は、ＩＥＥＥ１３９４バス上に上記デジタルデータを伝送すること
を特徴とする請求項１記載のデータ伝送装置。
【請求項３】
上記伝送手段は、テープ状記録媒体の偶数番目のトラックから記録開始されるフレームのデータと奇数番目のトラックから記録開始されるフレームのデータとを識別するための識別符号を、ＩＥＥＥ１３９４バス上に伝送する伝送データに付加すること
を特徴とする請求項２記載のデータ伝送装置。
【請求項４】
１フレーム分のビデオデータを含むデータを奇数本のトラックに記録するテープ状記録媒体の記録フォーマットであって、上記奇数本のトラックに記録する１フレーム分のビデオデータを含むデータの記録パターンが２つあるテープ状記録媒体の記録フォーマットに対応したデジタルデータを処理し、
テープ状記録媒体の偶数番目のトラックから記録開始されるフレームのデータと奇数番目のトラックから記録開始されるフレームのデータとを識別するための識別符号を、上記デジタルデータに付加して伝送すること
を特徴とするデータ伝送方法。
【請求項５】
上記テープ状記録媒体の記録フォーマットは、ＤＶフォーマットにおけるＳＤＬに対応したフォーマットであり、
ＩＥＥＥ１３９４バス上に上記デジタルデータを伝送すること
を特徴とする請求項４記載のデータ伝送方法。
【請求項６】
テープ状記録媒体の偶数番目のトラックから記録開始されるフレームのデータと奇数番目のトラックから記録開始されるフレームのデータとを識別するための識別符号を、ＩＥＥＥ１３９４バス上に伝送する伝送データに付加すること
を特徴とする請求項５記載のデータ伝送方法。
【発明の詳細な説明】
【０００１】
【発明の属する技術分野】
本発明は、１フレーム分のビデオデータを含むデータを奇数本のトラックに記録するテープ状記録媒体の記録フォーマットに対応したデジタルデータを、テープ状記録媒体から再生して伝送するデータ伝送装置及びデータ伝送方法に関するものである。
【０００２】
【従来の技術】
近年、デジタルのビデオ信号及びデジタルのオーディオ信号を磁気テープに記録する家庭用のカメラ一体型デジタルビデオテープレコーダや家庭用の据え置き型のデジタルビデオテープレコーダが登場している。
【０００３】
このようなデジタルビデオテープレコーダの記録方式として、いわゆるＤＶフォーマットと呼ばれる記録フォーマットがある（IEC 61834 helical scan digital video tape cassette recording system using 6.35 mm magnetic tape for consumers(525/60,625/50,1125/60and1250/50systems）。このＤＶフォーマットでは、記録するビデオ信号を離散コサイン変換等を用いて圧縮するとともにデータの記録密度を上げているので、従来の方式よりも高い画質で長時間の記録が可能となっている。
【０００４】
このＤＶフォーマットでは、色々なビットレートで送られてくるプログラムに対して記録効率が最適化されるように、圧縮効率の異なる２つの記録モード（ＳＤモード，ＳＤＬモード）を用いてビデオデータ等の記録を行っている。
【０００５】
記録効率を高めた記録モード（ＳＤＬモード）は、通常の記録モード（ＳＤモード）よりも圧縮効率を高めて情報量をＳＤモードの１／２とするとともに、記録再生時における磁気テープのテープ走行速度をＳＤモードの１／２として、磁気ヘッドから磁気テープへの記録タイミングを間欠的にしている。すなわち、ＳＤＬモードでは、磁気テープに対して時間的に連続して信号を記録するのではなく、磁気ヘッドから磁気テープへの記録回数を２回に１回間引いて、トータルの記録時間を２倍にしている。このことにより、例えば、ＳＤモードにより記録すると、ビットレートが低いため磁気テープに対してスタッフィングバイトや情報なしパック等の無駄データが多く記録され、記録効率が悪くなってしまうといったプログラムであっても、ＳＤＬモードにより記録することにより、これらの無駄なデータを記録せずに記録効率を向上させることができる。
【０００６】
以下、このＤＶフォーマットについて説明するとともに、このＤＶフォーマットで用いられるＳＤモードとＳＤＬモードとについても併せて説明をする。
【０００７】
図９に、ＤＶフォーマットのデジタル信号を、テープ幅６．３５ｍｍの磁気テープ（以下、この磁気テープをＤＶテープと呼ぶ。）に記録したときのトラックパターンを示す。
【０００８】
ＤＶフォーマットでは、テープ幅が６．３５ｍｍ（＝１／４インチ）のＤＶテープに対して、回転ドラムによりビデオデータ等が回転記録される。この回転ドラムには、例えばアジマス角の異なる（±２０°）２つの磁気ヘッドが設けられている。そのため、この２つの磁気ヘッドがテープ走行方向に対して所定の角度を以て走査され、この図９に示すように、ＤＶテープに、アジマス角が異なるトラックが交互に連続して書き込まれたトラックパターンが形成される。
【０００９】
ここで、ＤＶテープに記録されたトラックに対して、図１０に示すように、１０本のトラックを１つの単位とし、この１０本のトラック単位で０〜９までのトラックナンバーを付ける。このとき、一方の磁気ヘッドで記録されたトラックをイーブントラックＥ０，Ｅ２，Ｅ４，Ｅ６，Ｅ８とし、他方の磁気ヘッドで記録されたトラックをオッドトラックＯ１，Ｏ３，Ｏ５，Ｏ７，Ｏ９とする。イーブントラックは、この１０本のトラック単位内における各トラックに対してＤＶテープの走行順にトラックナンバーを付けていった場合（一番最初のトラックのトラックナンバーは０とする。）、偶数番目に記録されるトラックである。また、オッドトラックは、奇数番目に記録されるトラックである。
【００１０】
ＳＤモードでは、この１０本のトラック（トラックナンバー０〜９）に、ＮＴＳＣ方式に対応したビデオ信号の１フレーム分のデジタルデータが記録される。
【００１１】
ＳＤＬモードでは、この１０本のトラック（トラックナンバー０〜９）に、ＮＴＳＣ方式に対応したビデオ信号の２フレーム分のデジタルデータが記録される。このＳＤＬモードでは、前半の５トラック（トラックナンバー０〜４）に１フレーム分のデジタルデータが記録され、後半の５トラック（トラックナンバー５〜９）に１フレーム分のデジタルデータが記録される。以下、ＳＤＬモードで記録されたときの前半の５トラック（トラックナンバー０〜４）に記録されるフレームを、フロントフレームと呼び、後半の５トラック（トラックナンバー５〜９）に記録されるフレームを、リアフレームと呼ぶ。
【００１２】
また、このＤＶフォーマットでは、各トラックに記録するデータ全てに２４／２５変換が施される。記録するデータを２４／２５変換することにより、ＡＴＦ（Automatic Track Finding）の為のパイロット信号がトラック全体に重畳される。そして、再生時においてこのパイロット信号を検出することにより、磁気ヘッドのトラッキングを取ることができる。この２４／２５変換では、２４ビット（３バイト）毎のデータに対してエキストラビット（１ビット）を挿入することにより、記録するデータのデータ列に３つの周波数の低域パイロット成分を重畳している。具体的には、記録するデータのランレングスを９以下にし、周波数ｆ０，周波数ｆ１，周波数ｆ２のパイロット信号を各トラックに重畳する。そして、このＤＶフォーマットでは、例えば、イーブントラックＥ０，Ｅ２，Ｅ４，Ｅ６，Ｅ８に周波数ｆ０のパイロット信号を重畳し、オッドトラックＯ１，Ｏ３，Ｏ５，Ｏ７，Ｏ９に周波数ｆ１及び周波数ｆ２のパイロット信号を交互に重畳する。従って、全体としては各トラックに対して、・・・ｆ０，ｆ１，ｆ０，ｆ２，ｆ０，ｆ１，ｆ０，ｆ２・・・といった繰り返しとなるような各周波数のパイロット信号が記録される。このようなパイロット信号を記録することによって、周波数ｆ０が記録されたトラックを磁気ヘッドが走査するとき、隣接トラックから周波数ｆ１，ｆ２のパイロット成分をクロストーク信号として得ることができ、再生時において安定したトラッキングをかけることができる。
【００１３】
ＳＤモードとＳＤＬモードとの２つに対応した記録を行う場合、例えば、図１１に示すような、３つの磁気ヘッドが設けられた回転ドラム１０１を用いて行われる。回転ドラム１０１には、その回転中心を挟んで１８０°対向した位置に、ＣＨ０ヘッド１０２と、ＣＨ１ヘッド１０３とが設けられている。ＣＨ０ヘッド１０２は、アジマス角がプラス側とされている。ＣＨ１ヘッド１０３は、アジマス角がマイナス側とされている。また、回転ドラム１０１には、ＣＨ０ヘッド１０２が設けられている位置から、ドラム回転方向に９０°ずれた位置に、ＣＨ２ヘッド１０４が設けられている。
【００１４】
ＳＤモードで記録する場合には、ＣＨ０ヘッド１０２及びＣＨ１ヘッド１０３が用いられて記録がされ、ＣＨ２ヘッド１０４は用いられない。ＳＤモードでは、ＤＶテープが１８．８ｍｍ／ｓの一定速度で走行し、回転ドラム１０１が９０００ｒｐｍの回転速度で回転する。そして、ＳＤモードでは、図１２に示すように、１５０Ｈｚ（１／１５０秒周期）のヘッドＳＷ信号により、ＣＨ０ヘッド１０２とＣＨ１ヘッド１０３とが連続的に切り換えられ、信号が記録される。そのため、ＳＤモードでは、回転ドラム１０１の１回転中に２トラック分の信号を記録する。従って、このＳＤモードでは、図１３に示すように、＋アジマスのＣＨ０ヘッド１０２により記録されたトラックと、−アジマスのＣＨ１ヘッド１０３により記録されたトラックとが交互に並んだトラックパターンがＤＶテープ上に形成される。
【００１５】
これに対してＳＤＬモードでは、ＣＨ０ヘッド１０２及びＣＨ２ヘッド１０４が用いられて記録され、ＣＨ１ヘッド１０３は用いられない。ＳＤＬモードでは、ＤＶテープがＳＤモードの１／２の速度で走行し、回転ドラム１０１がＳＤモードと同速の９０００ｒｐｍの回転速度で回転する。そして、ＳＤＬモードでは、図１４に示すような、７５Ｈｚ（１／７５秒周期）のヘッドＳＷ信号により、ＣＨ０ヘッド１０２とＣＨ２ヘッド１０４とが間欠的に切り換えられ、信号が記録される。そのため、ＳＤＬモードでは、回転ドラム１０１の２回転中に２トラック分の信号を記録する。従って、このＳＤＬモードでは、図１５に示すような、＋アジマスのＣＨ０ヘッド１０２により記録されたトラックと、−アジマスのＣＨ２ヘッド１０４により記録されたトラックとが交互に並んだトラックパターンがＤＶテープ上に形成される。なお、ＣＨ２ヘッド１０４は、ＣＨ０ヘッド１０２により形成されたトラックのトラックピッチと、ＣＨ２ヘッド１０４により形成されたトラックのトラックピッチとが等しくなるように、高さ方向にオフセットされて回転ドラム１０１上に設けられている。
【００１６】
ＳＤＬモードでは、このような回転ドラム１０１を用いて間欠記録をすることにより、ＳＤモードで記録する情報量の１／２に情報量を少なくした情報を、ＳＤモードで形成されるトラックパターンと同一のトラックパターンで、ＤＶテープ上に記録することができる。なお、ＳＤＬモードに適合するように記録する方法は、このような回転ドラム１０１を用いるものに限られず、例えば、＋アジマスヘッドと−アジマスヘッドとが隣接して設けられたペアヘッドを用いても良い。
【００１７】
つぎに、ＤＶフォーマットにおけるデータ構造について説明する。
【００１８】
このＤＶテープのトラックには、図１６に示すように、ヘッド突入入口からＩＴＩ（Insert and Track Information）記録領域１１１、オーディオ記録領域１１２、ビデオ記録領域１１３、サブコード記録領域１１４が設けられて、有効データエリアが形成されている。オーディオ記録領域１１２には、オーディオ情報及びその付加情報等が記録される。ビデオ記録領域１１３には、ビデオ情報及びその付加情報が記録される。サブコード記録領域１１４には、高速サーチのためのサブコード情報及びスキップ機能等のためのサブコード情報等が記録される。ＩＴＩ記録領域１１１には、オーディオ情報、ビデオ情報及びサブコード情報等をアフターレコーディングするための基準信号等が記録される。
【００１９】
ＤＶフォーマットでは、ＤＶテープの１つのトラックの有効記録エリアをシンクブロックと呼ぶ小領域に分割して、各データをシンクブロック単位でパケット化して記録をする。シンクブロックは、図１７に示すように、シンクエリア（２バイト）と、ＩＤコード（３バイト）と、データ（データ量は可変）と、パリティ（２バイト若しくは８バイト）とから構成されている。シンクエリアには、所定の同期符号パターンデータ（２４／２５変換後には１７ビットのビットパターンとなる。）が記録される。ＩＤコードには、例えば、フレームの連続を示すシーケンスナンバーが４ビット、一対の偶数トラック及び奇数トラックの番号を示すトラックペアナンバーが４ビット、１トラック中のそのシンクブロックの番号を示すシンクブロックナンバーが８ビット、ＩＤコード用のパリティが８ビット記録される。
【００２０】
オーディオ記録領域１１２に記録されるオーディオ情報は、図１８に示すように、１トラック当たり、１７シンクブロック分のデータとして記録される。１７個の各シンクブロックには、０〜１６までのシンクブロックナンバーが付けられている。
【００２１】
最初の２つのシンクブロック（シンクブロックナンバーが０と１のシンクブロック）は、プリシンクブロックと呼ばれ、オーディオ記録領域１１２が始まることを示すプリアンブル信号等が記録される。プリシンクブロックのデータ長は、６バイトである。プリシンクブロックに続く９個のシンクブロック（シンクブロックナンバーが２〜１０のシンクブロック）には、オーディオ情報の付加情報である５バイトのＡＡＵＸデータと、音声圧縮されたオーディオ情報である７２バイトのＡＵＤＩＯデータが記録される。続く５個のシンクブロック（シンクブロックナンバーが１１〜１５のシンクブロック）には、７７バイトのアウターパリティが記録されている。オーディオ情報及びアウターパリティが記録されるシンクブロックナンバーが２〜１５のシンクブロックのデータ長は、８バイトのインナーパリティを含めて９０バイトである。最後のシンクブロック（シンクブロックナンバーが１６のシンクブロック）は、ポストシンクブロックと呼ばれ、オーディオ記録領域１１２が終了することを示すポストアンブル信号が記録される。このポストシンクブロックのデータ長は、６バイトである。
【００２２】
ビデオ記録領域１１３に記録されるビデオ情報は、図１９に示すように、１トラック当たり、１５２シンクブロック分のデータとして記録される。１５２個の各シンクブロックには、１７〜１６８までのシンクブロックナンバーが付けられている。
【００２３】
最初の２つのシンクブロック（シンクブロックナンバーが１７と１８のシンクブロック）は、プリシンクブロックであり、ビデオ記録領域１１３が始まることを示すプリアンブル信号等が記録される。プリシンクブロックのデータ長は、６バイトである。プリシンクブロックに続く２個のシンクブロック（シンクブロックナンバーが１９〜２０のシンクブロック）には、ビデオ情報の付加情報であるＶＡＵＸデータが記録される。続く１３５個のシンクブロック（シンクブロックナンバーが２１〜１５５のシンクブロック）には、圧縮されたビデオ情報であるＶＩＤＥＯデータが記録される。続く１個のシンクブロック（シンクブロックナンバーが１５６のシンクブロック）には、ビデオ情報の付加情報であるＶＡＵＸデータが記録される。続く１１個のシンクブロック（シンクブロックナンバーが１５７〜１６７のシンクブロック）には、アウターパリティが記録される。ビデオ付加情報、ビデオ情報及びアウターパリティが記録されるシンクブロックナンバーが１９〜１６７のシンクブロックのデータ長は、８バイトのインナーパリティを含めて９０バイトである。最後のシンクブロック（シンクブロックナンバーが１６８のシンクブロック）は、ポストシンクブロックと呼ばれ、ビデオ記録領域１１３が終了することを示すポストアンブル信号が記録される。このポストシンクブロックのデータ長は、６バイトである。
【００２４】
ここで、ＡＡＵＸデータ及びＶＡＵＸデータには、例えば、著作権情報、記録モード、サンプリング周波数、テレビジョン方式等のオーディオ情報やビデオ情報を再生するための情報等の付加情報が記録される。ＡＡＵＸデータ及びＶＡＵＸデータは、各付加情報の内容毎に、１バイトのパックヘッダと、４バイトのパックデータとからなる、５バイトのデータとしてパック化されて記録がされる。
【００２５】
ＡＡＵＸデータ及びＶＡＵＸデータの記録領域は、メインエリアとオプショナルエリアとに分けて用いられる。すなわち、シンクブロックナンバーが２〜１０の各オーディオシンクブロックのデータ領域の最初の５バイト及びシンクブロックナンバーが１９，２０，１５６のシンクブロックのデータ領域が、メインエリアと、オプショナルエリアとに分けられる。
【００２６】
メインエリアには、その情報が無いとオーディオデータの再生ができない必須パックと、重要度の高い準必須パックとが記録される。必須パックとしては、それがないと画像や音声を復元できない情報が格納されたパック、画像及び音声の記録時の情報を提示する情報が格納されたパック、現在位置を把握するための情報が格納されたパック等がある。具体的に必須パックには、テレビジョン放送方式が格納されたパック、サンプリング周波数が格納されたパック、量子化ビット数が格納されたパック、著作権情報が格納されたパック、レコーディング時間が格納されたパック、タイムコードが格納されたパック等がある。また、準必須パックとしては、記録年月日、記録時間、字幕情報等が格納されたパックがある。
【００２７】
オプショナルエリアには、各メーカのＩＤや、メインエリアに記録されるデータでは所望の機能を実現できないときに用いられる情報等が記録される。
【００２８】
ＡＡＵＸデータのメインエリアは、図２０（Ａ）に示すように、そのトラックのトラック番号が奇数（奇数トラック）の場合、シンクブロックナンバーが２〜７の６つのシンクブロック（パックナンバーで０〜５までの６パック）内に記録される。また、ＡＡＵＸデータのメインエリアは、図２０（Ｂ）に示すように、そのトラックのトラック番号が偶数（偶数トラック）の場合、シンクブロックナンバーが５〜１０の６つのシンクブロック（パックナンバーで３〜８までの６パック）内に記録される。
【００２９】
ＶＡＵＸデータのメインエリアは、図２１（Ａ）に示すように、そのトラックが奇数トラックの場合、シンクブロックナンバーが１９のシンクブロックのデータ領域の先頭から３０バイトまで（パックナンバーで０〜５までの６パック）に記録される。また、ＶＡＵＸデータのメインエリアは、図２１（Ｂ）に示すように、そのトラックが偶数トラックの場合、シンクブロックが１５６のシンクブロックのデータ領域の４６バイト目から７５バイト目まで（パックナンバーで３９〜４４までの６パック）に記録される。
【００３０】
このように、オーディオデータ及びビデオデータを再生するため等に用いられる付加情報が記録されるメインエリアは、奇数トラックと偶数トラックとでトラック上の記録位置が異なる。このようにメインエリアの記録位置を、奇数トラックと偶数トラックとで異ならせるのは、テープに横傷などがついても、奇数トラックと偶数トラックとの何れかでメインエリア内の情報を読みとることができるようにするためである。このため、多数回の上書きにより一部のシステムデータが破壊され、システムデータが破壊されたせいで再生可能な画像や音声が再生ができなくなってしまうという不具合を解消することができる。
【００３１】
ＤＶフォーマットでは、以上のようなデータ構造で、ビデオデータやオーディオデータをＤＶテープ上に記録する。
【００３２】
【発明が解決しようとする課題】
ところで、ＮＴＳＣ信号をＳＤモードで記録する場合、１フレーム当たりのトラック数は１０本であるので、各フレームは、必ず、偶数トラック（トラックナンバー０のトラック）から始まり、奇数トラック（トラックナンバー９）で終了する。従って、ＮＴＳＣ信号をＳＤモードで記録する場合、メインエリアの記録位置のパターンは、フレーム単位で繰り返される。
【００３３】
このため、通常再生速度よりも遅いスロー再生や同一のフレームを再生し続けるスチル再生等の変速再生を行った場合、同一のフレームが連続して出力されるが、このような場合であっても、ＳＤモードであれば、どのフレームでもメインエリアの記録位置パターンが同じである。従って、スロー再生やスチル再生をした場合にも、フレームの同期を取ることができれば、メインエリアに記録されたオーディオデータ及びビデオデータを再生するため等に用いられる付加情報を、確実に抽出することができ、例えばこのようにスロー再生やスチル再生をしたオーディオデータ及びビデオデータを伝送して他の装置で記録する場合であっても、受信装置側でフォーマット違反を起こさず記録が可能となる。
【００３４】
これに対して、ＮＴＳＣ信号をＳＤＬモードで記録する場合、１フレーム当たりのトラック数が５本となる。そのため、隣接するフレーム同士で、メインエリアの記録位置パターンが異なるものとなってしまう。
【００３５】
図２２（Ａ）に示すように、例えば、トラックナンバー０から始まるフレーム（フロントフレーム）の場合、最初のトラックのＶＡＵＸのメインエリアの位置は、ＶＡＵＸデータの記録領域の後半部分（シンクブロックが１５６のシンクブロックのデータ領域の４６バイト目から７５バイト目まで）となる。また、このフロントフレームに隣接するリアフレームの場合、最初のトラックのＶＡＵＸのメインエリアの位置は、ＶＡＵＸデータの記録領域の前半部分（シンクブロックナンバーが１９のシンクブロックのデータ領域の先頭から３０バイトまで）となる。
【００３６】
このように、ＮＴＳＣ信号をＳＤＬモードで記録する場合、フロントフレームとリアフレームとで、ＶＡＵＸデータのメインエリアの記録位置パターンが反転してしまう。もちろん、ＡＡＵＸデータのメインエリアの記録位置パターンも同様に反転する。
【００３７】
このため、ＳＤＬモードで再生を行う場合、一般に、図２２（Ｂ）に示すように、フレーム同期信号と同期した信号であって２フレーム周期の同期信号（この信号をＦＲ信号と呼ぶ）を用いて、メインエリアの記録位置パターンが異なるフロントフレームとリアフレームとを識別している。このようにＳＤＬモードであっても、フロントフレームかリアフレームかが識別できれば、その識別に応じてメインエリアの記録位置を判別することができるので、メインエリアに記録されたオーディオデータ及びビデオデータを再生するため等に用いられる付加情報を確実に抽出することができ、オーディオデータ及びビデオデータの再生が可能となる。
【００３８】
しかしながら、スロー再生やスチル再生等の変速再生を行う場合、同一のフレームが連続して再生される。そのため、例えばこのようにスロー再生やスチル再生をしたオーディオデータ及びビデオデータを伝送して他の装置で記録する場合、記録装置側でフォーマット違反となり記録ができない。具体的には、図２３（Ａ）に示すようなフロントフレームとリアフレームとからなるＳＤＬモードで記録されたデータをスチル再生した場合、図２３（Ｂ）に示すような、例えばフロントフレームが連続したデータが再生される。このフロントフレームが連続したデータを、例えばＩＥＥＥ１３９４バスを介して伝送して、受信装置で伝送されたデータをそのまま記録しようとすると、リアフレームのメインエリアの記録位置パターンが反転せずに、全てフロントフレームの記録位置パターンとなる。従って、図２３（Ｃ）に示すように、受信の装置側では、伝送されたフレームを、フロントフレームとして記録するか、或いは、リアフレームとして記録するか判断することができないフォーマット違反のデータであると判断するため、伝送されたデータの記録を行うことができない。
【００３９】
本発明は、このような実情を鑑みてなされたものであり、１フレーム分のビデオデータを含むデータを奇数本のトラックに記録するテープ状記録媒体の記録フォーマットに対応したデジタルデータを、テープ状記録媒体から変速再生して伝送する場合であっても、伝送したデータを記録可能とするデータ伝送装置及びデータ伝送方法を提供することを目的とする。
【００４０】
【課題を解決するための手段】
上述の課題を解決するために、本発明にかかるデータ伝送装置は、１フレーム分のビデオデータを含むデータを奇数本のトラックに記録するテープ状記録媒体の記録フォーマットに対応したデジタルデータを、処理するデータ処理手段と、上記データ処理手段により処理されたデジタルデータを、伝送する伝送手段とを備え、上記テープ状記録媒体の記録フォーマットには、上記奇数本のトラックに記録する１フレーム分のビデオデータを含むデータの記録パターンが２つあり、上記伝送手段は、テープ状記録媒体の偶数番目のトラックから記録開始されるフレームのデータと奇数番目のトラックから記録開始されるフレームのデータとを識別するための識別符号を、上記デジタルデータに付加して伝送することを特徴とする。
【００４１】
また、本発明にかかるデータ伝送方法は、１フレーム分のビデオデータを含むデータを奇数本のトラックに記録するテープ状記録媒体の記録フォーマットであって、上記奇数本のトラックに記録する１フレーム分のビデオデータを含むデータの記録パターンが２つあるテープ状記録媒体の記録フォーマットに対応したデジタルデータを処理し、テープ状記録媒体の偶数番目のトラックから記録開始されるフレームのデータと奇数番目のトラックから記録開始されるフレームのデータとを識別するための識別符号を、上記デジタルデータに付加して伝送することを特徴とする。
【００４２】
本発明にかかるデータ伝送装置及びデータ伝送方法では、１フレーム分のビデオデータを含むデータを奇数本のトラックに記録するテープ状記録媒体の記録フォーマットであって、上記奇数本のトラックに記録する１フレーム分のビデオデータを含むデータの記録パターンが２つあるテープ状記録媒体の記録フォーマットに対応したデジタルデータを伝送する。さらに、本発明にかかるデータ伝送装置及びデータ伝送方法では、偶数番目のトラックから記録開始されるフレームのデータと、奇数番目のトラックから記録開始されるフレームのデータとを識別するための識別符号を、伝送するデジタルデータに対して付加する。
【００４３】
【発明の実施の形態】
以下、本発明の実施の形態として、本発明を適用したデジタルダビングシステムについて、図面を参照しながら説明する。
【００４４】
図１に、本発明を適用したデジタルダビングシステムを示す。図１に示すデジタルダビングシステム１は、再生装置２と、記録装置３と、再生装置２と記録装置３とを接続するＩＥＥＥ１３９４バス４とから構成されている。このデジタルダビングシステム１では、ＤＶテープから再生したＤＶデータを、再生装置２がＩＥＥＥ１３９４バス４で伝送し、記録装置３で他のＤＶテープに記録するデジタルダビング処理が行われる。このデジタルダビング処理は、ＤＶフォーマットにおけるＳＤＬモードで行われる。
【００４５】
再生装置２は、再生部１１と、ＲＦ処理部１２と、デジタル信号処理部１３と、ＩＥＥＥ１３９４インターフェース部１４と、制御部１５とを備えている。
【００４６】
再生装置２は、ビデオデータ及びオーディオデータ等のソース情報が記録された第１のＤＶテープ５を再生する。この第１のＤＶテープ５には、ＳＤＬモードでＤＶデータが記録されており、再生装置２は、ＳＤＬモードでＤＶデータを再生する。
【００４７】
再生部１１は、例えば、ＳＤＬモードに対応した２つの磁気ヘッドが設けられた回転ドラムを有し、第１のＤＶテープ５に記録されているＤＶ信号を再生する。再生部１１は、再生したＤＶ信号をＲＦ処理部１２に供給する。
【００４８】
ＲＦ処理部１２は、再生部１１から供給されたＤＶ信号に対して、復調処理やデジタル化処理等を行い、デジタルのＤＶデータを生成する。ＲＦ処理部１２は、生成したＤＶデータをデジタル信号処理部１３に供給する。
【００４９】
デジタル信号処理部１３は、ＲＦ処理部１２から供給されたＤＶデータに対して、ＤＶフォーマットに基づく各種のデータ処理を行う。デジタル信号処理部１３は、データ処理を行ったＤＶデータをＩＥＥＥ１３９４インターフェース１４に供給する。
【００５０】
ＩＥＥＥ１３９４インターフェース１４は、デジタル信号処理部１３から供給されたＤＶデータを、ＩＥＥＥ１３９４インターフェースプロトコルに対応したデータに変換して、転送データを生成する。ＩＥＥＥ１３９４インターフェース１４は、生成した転送データを、ＩＥＥＥ１３９４バス４を介して記録装置３に送信する。
【００５１】
制御部１５は、再生部１１の再生動作の制御、ＲＦ処理部１２の信号処理の制御、デジタル信号処理部１２のデータ処理の制御、ＩＥＥＥ１３９４インターフェース１４のデータ伝送処理の制御等を行う。
【００５２】
再生装置２は、以上のような構成を有することにより、第１のＤＶテープ５に記録されているビデオデータ及びオーディオデータ等を再生して、この再生したデータをＩＥＥＥ１３９４バス４を介して送信することができる。
【００５３】
ここで、ＩＥＥＥ１３９４インターフェース１４は、制御部１５からの制御命令に基づき、ＩＥＥＥ１３９４プロトコルに準じた伝送データに対して、そのフレームがフロントフレームであるか、或いは、そのフレームがリアフレームであるかを示す情報を付加する。
【００５４】
すなわち、ＤＶフォーマットにおけるＳＤＬモードでは、上述したように、ＤＶテープの偶数番目のトラック（トラックナンバー０）から記録開始されるフレームであるフロントフレームと、ＤＶテープの奇数番目のトラック（トラックナンバー５）から記録開始されるフレームであるリアフレームとがある。ＩＥＥＥ１３９４インターフェース１４は、デジタル信号処理部１３から供給されたＤＶデータをＩＥＥＥ１３９４プロトコルに従って伝送データに変換するとともに、制御部１５からの制御情報に基づき、伝送するフレーム毎に、フロントフレームであるか、リアフレームであるかを識別する情報を、追加する。
【００５５】
具体的には、図２に示すように、ＩＥＥＥ１３９４バス伝送上で定義されているＤＩＦ  ｂｌｏｃｋのＨｅａｄｅｒ  Ｓｅｃｔｉｏｎ  Ｈ０の中に、ＤＦＦ（ＤＩＦ  ｆｒａｍｅ  ｆｌａｇ）を追加して、フロントフレームであるか、リアフレームであるかを識別する情報としている。
【００５６】
このＤＦＦは、図３に示すように、“１”又は“０”を示す。伝送されるＤＶデータがＳＤＬモードでＮＴＳＣシステム（525-60 system）の場合には、ＤＦＦは、“０”であればこの情報が付加されているフレームがフロントフレーム（first frame）であることを示し、“１”であればこの情報が付加されているフレームがリアフレーム（second frame）であることを示す。
【００５７】
なお、ＤＦＦは、伝送されるＤＶデータがＳＤモード及びＨＤモードの場合、及び、伝送されるＤＶデータがＳＤＬモードでＰＡＬシステム（625-50 system）の場合には、常に“１”となり、情報の内容に意味を示さない。
【００５８】
再生装置２は、伝送するＤＶデータに対してこのようなＤＦＦを付加することにより、例えば、ＳＤＬモードで記録されたＤＶデータのスロー再生やスチル再生等を行って、同一のＶＡＵＸ及びＡＡＵＸのメインエリアの記録位置パターンが同一のフレームを伝送したとしても、そのデータを受信した記録装置３でそのフレームがフロントフレームであるかリアフレームであるかを判断することができる。
【００５９】
例えば、図４に示すように、通常再生を行った場合には、ＤＶテープに記録する各フレームは、伝送されたフレームのメインエリアの記録位置パターンと、同一となる。しかしながら、例えば、図５に示すように、スチル再生を行った場合には、同一のフレームが連続して伝送されるので、ＤＶテープに記録する各フレームは、伝送されたフレームのメインエリアの記録位置パターンと、同一とならない。従って、再生装置２が、図４及び図５に示すような、２フレームで１周期となる“１”“０”が繰り返されるＤＦＦを伝送するフレームに対応させて付加し、記録装置３側でこのＤＦＦを検出して、各フレームの記録を行う。
【００６０】
従って、図６に示すように、例えばＶＡＵＸのメインエリアの記録位置パターンが同一のフレームが連続して伝送されても、ＤＦＦがそれらのフレームがフロントフレームであるか、リアフレームであるかを示すので、記録装置３で、ＶＡＵＸデータが再生でき、フォーマット違反とならないようにすることができる。
【００６１】
つぎに、記録装置３について説明する。
【００６２】
記録装置３は、再生装置２から転送されたビデオデータ及びオーディオデータ等のソース情報を受信して、第２のＤＶテープ６に記録する。記録装置３は、この第２のＤＶテープに対して、ＳＤＬモードでＤＶデータを記録する。
【００６３】
記録装置３は、図７に示すように、ＩＥＥＥ１３９４インターフェース２１と、デジタル信号処理部２２と、ＲＦ処理部２３と、記録部２４と、制御部２５とを備えている。
【００６４】
また、上記デジタル信号処理部２２は、その内部に、レート変換メモリ２６と、タイムベースコントローラ（ＴＢＣ）２７とを有している。上記制御部２５は、その内部に、ＰＬＬ部２８と、ドラムサーボ部２９と、タイミング制御部３０とを有している。
【００６５】
ＩＥＥＥ１３９４インターフェース２１は、ＩＥＥＥ１３９４バス４を介して転送された転送データを受信し、受信した転送データをＩＥＥＥ１３９４インターフェースプロトコルに対応したデータをＤＶデータに変換する。また、ＩＥＥＥ１３９４インターフェース２１は、転送データのＤＩＦ  ｂｌｏｃｋのＨｅａｄｅｒ  Ｓｅｃｔｉｏｎ  Ｈ０の中に付加されているＤＦＦ（ＤＩＦ  ｆｒａｍｅ  ｆｌａｇ）を検出する。また、ＩＥＥＥ１３９４インターフェース２１は、転送データに含まれているＦＰ信号を検出する。このＦＰ信号は、フレームの同期信号である。ＩＥＥＥインタフェース２１は、生成したＤＶデータをデジタル信号処理部２２に供給し、検出したＦＰ信号を制御部２５の内部のＰＬＬ部２８に供給し、検出したＤＦＦを制御部２５の内部のタイミング制御部３０に供給する。
【００６６】
デジタル信号処理部２２は、ＩＥＥＥ１３９４インターフェース２１から供給されたＤＶデータに対して、第２のＤＶテープ６に記録できるようにデータ処理を施す。デジタル信号処理部２２は、データ処理を施したＤＶデータを、１トラックのデータ単位毎に、一旦、内部のレート変換メモリ２６に格納する。このレート変換メモリ２６は、ＮＴＳＣの場合少なくとも２フレーム分（ＳＤＬモードで１０トラック分）の記憶容量を有している。このレート変換メモリ２６は、各トラックナンバーに対応した格納領域を設けていて、あるトラックナンバーのデータが入力されると、対応するトラックナンバーの格納領域に、その入力されたデータを格納する。デジタル信号処理部２２は、レート変換メモリ２６に１トラック単位で格納しているＤＶデータを、制御部２５による制御タイミングに応じて、１トラック単位でＴＢＣ２７に供給する。ＴＢＣ２７は、レート変換メモリ２６から読み出した１トラック単位のデータを、ヘッドＳＷ信号に同期させて、ＲＦ処理部２３に出力する。このＴＢＣ２７は、第２のＤＶテープ６へ間欠記録をする際のイーブントラックとオッドトラックの位相ずれを補正する処理を行う。
【００６７】
デジタル信号処理部２２のレート変換メモリ２６は、ＩＥＥＥ１３９４バス４による伝送におけるデータ処理タイミングと、ＤＶテープへの記録のためのデータ処理タイミングのずれを吸収する。従って、第２のＤＶテープ６に記録されるＤＶデータは、このレート変換メモリ２６に一旦格納されることにより、回転ドラムの回転に同期したデータとされて、出力がされる。
【００６８】
ＲＦ処理部２４は、デジタル信号処理部２２から供給されたＤＶデータに対して、変調処理等を行い、記録信号を生成する。ＲＦ処理部１２は、生成した記録信号を記録部２４に供給する。
【００６９】
記録部２４は、例えば、２つの磁気ヘッドが設けられた回転ドラムを有し、ＲＦ処理部２３から供給された記録信号を第２のＤＶテープ６にＳＤＬモードで記録する。２つの磁気ヘッドは、例えば、スイッチ回路２４ａにより切り換えられ記録信号が供給される。このスイッチ回路２４ａは、制御部２５から供給されるヘッドＳＷ信号により切換制御がされる。また、回転ドラムは、その回転速度が制御部２５からのドラムコントロール信号により制御される。
【００７０】
制御部２５のＰＬＬ部２８は、ＩＥＥＥ１３９４インターフェース２１から供給されたＦＰ信号を、内部クロックと同期させて、フレーム基準信号を生成する。フレーム基準信号には、ＦＲＲＶ信号と、ＴＲＲＴ信号とがある。ＦＲＲＶ信号は、その立ち上がりエッジが、フレームをレート変換メモリ２６に対して書き込む書込開始タイミングを示している信号である。すなわち、トラックナンバー０又はトラックナンバー５のデータを、レート変換メモリ２６に書き込み開始するタイミングを示す信号である。ＴＲＲＴ信号は、その立ち上がりエッジが、１トラック分のデータを、レート変換メモリ２６に書き込む書込開始タイミングを示している信号である。ＦＲＲＶ信号とＴＲＲＴ信号とは同期しているとともに、ＳＤＬモードの場合、１フレーム分のデータが５トラックに記録されることからＴＲＲＴ信号の周期がＦＲＲＶ信号の周期に対して５倍となっている。
【００７１】
制御部２５のドラムサーボ部２８は、ＰＬＬ部２７が生成したフレーム基準信号に基づきドラムコントロール信号を生成し、このドラムコントロール信号を記録部２４に供給して回転ドラムの回転制御を行う。
【００７２】
制御部２５のタイミング制御部３０は、ＩＥＥＥ１３９４インターフェース２１から供給されたＤＦＦに基づき、ＦＲ信号を生成する。このＦＲ信号は、レート変換メモリ２６に書き込む１トラック分のデータが、フロントフレームのデータであるか、リアフレームのデータであるかを示す信号であり、“０”のときにフロントフレームを示し、“１”のときにリアフレームを示す。すなわち、ＦＲ信号は、レート変換メモリ２６に書き込む１トラック分のデータが、トラックナンバー０〜４までのデータであるか、トラックナンバー５〜９までのデータであるかを示す信号である。このＦＲ信号は、デジタル信号処理部２２のレート変換メモリ２６に供給される。レート変換メモリ２６は、このＦＲ信号がフロントフレームを示していれば、フロントフレームに対応したトラックナンバーの格納領域（つまり、トランクナンバー０〜４の格納領域）に、データを格納する。また、レート変換メモリ２６は、このＦＲ信号がリアフレームを示していれば、リアフレームに対応したトラックナンバーの格納領域（つまり、トラックナンバー５〜９の格納領域）に、データを格納する。
【００７３】
制御部２５のタイミング制御部３０は、回転ドラムの回転位相に同期した基準信号であるＤＲＰ信号及びヘッドＳＷ信号とを生成する。ＤＲＰ信号は、１トラックの記録再生時間を示す記録側の基準信号である。ヘッドＳＷ信号は、回転ドラムに用いられた２つの磁気ヘッドを切り換えるための切換信号である。このヘッドＳＷ信号は、上述した図１１に示した回転ドラムに回転角９０°離して設けられた２つの磁気ヘッド（ＣＨ０，ＣＨ２）を、ＳＤＬモードにおける間欠記録を実現するように切り換える信号である。タイミング制御部３０は、この生成したヘッドＳＷ信号を、ＦＲ信号と同期させる。つまり、生成したヘッドＳＷ信号の位相は、ＦＲ信号に対して２通りの位相をもつことが可能となるが、イーブントラックを記録するヘッドを用いてトラックナンバー０のデータの記録がされるような位相とするように、ヘッドＳＷ信号をＦＲ信号に同期させる。
【００７４】
以上のような構成の記録装置３では、図８に示すようなタイミングで、レート変換メモリ２６に対して、１トラック毎のデータが書き込み及び読み出しがされる。
【００７５】
まず、フレーム基準信号（ＦＲＲＶ，ＴＲＲＴ）に同期して、トラックナンバー０〜４のフロントフレームのデータ、及び、トラックナンバー５〜９のリアフレームのデータが、レート変換メモリ２６に書き込まれていく。このとき、レート変換メモリ２６は、ＦＲ信号を参照して、供給されたデータが、フロンフレームのデータであるか、或いは、リアフレームのデータであるかを判断し、フロントフレームのデータであれば、トラックナンバー０〜４の所定の格納位置に格納し、リアルフレームのデータであれば、トラックナンバー５〜９の所定の格納位置に格納する。
【００７６】
レート変換メモリ２６に格納されたデータは、次の同一のトラックナンバーのデータが書き込み開始される前に読み出され、ＴＢＣ２７に供給される。すなわち、レート変換メモリ２６は、２フレーム分（１０トラック分）のデータ容量を有しているので、書き込まれた１トラック分のデータは、書き込まれた時間から２フレーム期間経過する前に読み出される。このときの読み出しは、ＤＲＰ信号に同期して読み出される。
【００７７】
ＴＢＣ２７は、レート変換メモリ２６から読み出した信号を、ヘッドＳＷ信号に同期させて、出力する。このヘッドＳＷ信号は、立ち上がりエッジのタイミングでイーブントラックのデータの書き込みが開始され、立ち下がりエッジのタイミングでオッドトラックのデータの書き込みが開始される。ヘッドＳＷ信号は、ＦＲ信号と同期が取れているため、イーブントラック（トラックナンバー０，２，４，６，８）がＣＨ０ヘッドが用いられて書き込みがされ、オッドトラック（トラックナンバー１，３，５，７，９）がＣＨ２ヘッドが用いられて書き込みがされる位相とされている。
【００７８】
以上のように記録装置３は、ＩＥＥＥ１３９４の伝送データに付加されているＤＦＦを参照してフロントフレームとリアフレームとを識別するＦＲ信号を生成する。記録装置３では、このＦＲ信号を参照して、レート変換メモリ２６へデータを書き込むので、フロントフレームとリアフレームと確実且つ簡易に識別される。また、記録装置３では、ＦＲ信号とヘッドＳＷ信号とを同期させて、第２の磁気テープ６にデータを書き込むので、フロントフレームとリアフレームとが反転したフォーマット違反の状態とならず、記録をすることができる。
【００７９】
【発明の効果】
本発明にかかるデータ伝送装置及びデータ伝送方法では、１フレーム分のビデオデータを含むデータを奇数本のトラックに記録するテープ状記録媒体の記録フォーマットであって、上記奇数本のトラックに記録する１フレーム分のビデオデータを含むデータの記録パターンが２つあるテープ状記録媒体の記録フォーマットに対応したデジタルデータを伝送する。さらに、本発明にかかるデータ伝送装置及びデータ伝送方法では、偶数番目のトラックから記録開始されるフレームのデータと、奇数番目のトラックから記録開始されるフレームのデータとを識別するための識別符号を、伝送するデジタルデータに対して付加する。
【００８０】
このことにより、本発明にかかるデータ伝送装置及びデータ伝送方法では、デジタルデータをテープ状記録媒体から変速再生して伝送する場合であっても、伝送したデジタルデータが記録可能となる。
【図面の簡単な説明】
【図１】本発明を適用したデジタルダビングシステムのブロック図である。
【図２】フロントフレームとリアフレームを識別するＤＦＦの格納位置を説明する図である。
【図３】上記ＤＦＦが示している情報の内容を示す図である。
【図４】通常再生を行った場合のＤＶテープに記録されるデータのフレームパターンと、ＤＦＦとの関係を示す図である。
【図５】スチル再生を行った場合のＤＶテープに記録されるデータのフレームパターンと、ＤＦＦとの関係を示す図である。
【図６】同一のフレームが連続したときのメインエリアの記録位置パターンと、ＤＦＦとの関係を示す図である。
【図７】上記デジタルダビングシステムの記録装置のブロック図である。
【図８】上記記録装置の各信号のタイムチャートである。
【図９】ＤＶフォーマットのデジタル信号を、ＤＶテープに記録したときのトラックパターンを示す図である。
【図１０】ＤＶテープに記録されたトラックに付けられたトラックナンバー、及び、ＤＶフォーマットにおける処理単位を説明する図である。
【図１１】ＤＶフォーマットのＳＤモード及びＳＤＬモードの両者の記録再生をすることが可能な回転ドラムを示す図である。
【図１２】ＤＶフォーマットのＳＤモードでのヘッド切り換え動作を説明する図である。
【図１３】ＤＶフォーマットのＳＤモードでデータを記録したときのトラックパターンを示す図である。
【図１４】ＤＶフォーマットのＳＤＬモードでのヘッド切り換え動作を説明する図である。
【図１５】ＤＶフォーマットのＳＤＬモードでデータを記録したときのトラックパターンを示す図である。
【図１６】トラック内に記録されるデータを説明する図である。
【図１７】シンクブロックを説明する図である。
【図１８】オーディオ記録領域に記録されるデータのデータ構成を説明する図である。
【図１９】ビデオ記録領域に記録されるデータのデータ構成を説明する図である。
【図２０】ＡＡＵＸデータのメインエリアを説明する図である。
【図２１】ＶＡＵＸデータのメインエリアを説明する図である。
【図２２】ＤＶフォーマットのＳＤＬモードでデータを記録した場合のＶＡＵＸデータの１フレーム内のメインエリアの記録位置パターンを説明する図である。
【図２３】ＤＶフォーマットのＳＤＬモードで同一フレームを連続して再生して伝送する場合のＶＡＵＸデータの１フレーム内のメインエリアの記録位置パターンを説明する図である。
【符号の説明】
１  デジタルダビングシステム、２  再生装置、３  記録装置、４  ＩＥＥＥ１３９４バス、５，６  ＤＶテープ、１１  再生部、１２，２３  ＲＦ処理部、１３  デジタル信号処理部、１４，２１  ＩＥＥＥ１３９４インターフェース、１５，２５  制御部、２２  デジタル信号処理部
【図１】
0003903654.tif 000002
【図２】
0003903654.tif 000003
【図３】
0003903654.tif 000004
【図４】
0003903654.tif 000005
【図５】
0003903654.tif 000006
【図６】
0003903654.tif 000007
【図７】
0003903654.tif 000008
【図８】
0003903654.tif 000009
【図９】
0003903654.tif 000010
【図１０】
0003903654.tif 000011
【図１１】
0003903654.tif 000012
【図１２】
0003903654.tif 000013
【図１３】
0003903654.tif 000014
【図１４】
0003903654.tif 000015
【図１５】
0003903654.tif 000016
【図１６】
0003903654.tif 000017
【図１７】
0003903654.tif 000018
【図１８】
0003903654.tif 000019
【図１９】
0003903654.tif 000020
【図２０】
0003903654.tif 000021
【図２１】
0003903654.tif 000022
【図２２】
0003903654.tif 000023
【図２３】
0003903654.tif 000024